【手続補正書】
【提出日】平成21年10月7日(2009.10.7)
【手続補正１】
【補正対象書類名】特許請求の範囲
【補正対象項目名】全文
【補正方法】変更
【補正の内容】
【特許請求の範囲】
【請求項１】
複数の機器から出力された画像を１の画面に同時に表示するようにした表示制御システムにおいて、
画面の空き領域を管理する空き領域管理部と、
上記空き領域管理部による空き領域管理情報に基づき、上記空き領域に画像を配置する画像配置制御部と
を備え、
上記空き領域管理部は、上記画像配置制御部により画像が配置された後の空き領域をさらに管理する
ことを特徴とする表示制御システム。
【請求項２】
複数の機器から出力された画像を１の画面に同時に表示するようにした表示制御方法において、
画面の空き領域を管理する空き領域管理のステップと、
上記空き領域管理のステップによる空き領域管理情報に基づき、上記空き領域に画像を配置する画像配置制御のステップと
を備え、
上記空き領域管理のステップは、上記画像配置制御のステップにより画像が配置された後の空き領域をさらに管理する
ことを特徴とする表示制御方法。
【請求項３】
複数の機器から出力された画像を１の画面に同時に表示するようにした表示制御システムにおいて、
画像を出力する画像出力部と、
データ通信を行う第１の通信部と、
上記画像出力部と上記第１の通信部とを制御する第１の制御部と
を有する画像出力装置と、
上記第１の通信部と通信可能な第２の通信部と、
上記画像出力装置から出力される上記画像を画面に表示する際の表示領域を、複数の上記画像出力装置のそれぞれから出力される複数の上記画像が１画面内で互いに重ならないように管理する管理部と、
上記第２の通信部および上記管理部を制御する第２の制御部と
を有する表示制御装置と、
複数の上記画像出力装置から出力された複数の画像を１の画像に合成する合成手段と
を備え、
上記表示制御装置は、上記第２の制御部の制御により、上記画像出力装置から出力される上記画像の表示に関する情報を上記通信により取得し、取得された該画像の表示に関する情報に基づき該画像を表示するための上記表示領域を上記管理部で設定して該表示領域を示す情報を上記通信により上記画像出力装置に送信し、
上記画像出力装置は、上記第１の制御部の制御により、上記表示制御装置から送信された上記表示領域を示す情報に基づき、上記画像が該表示領域に収まるように該画像に対して該画像が表示される領域を変更するような画像処理を施して上記画像出力部から出力する
ことを特徴とする表示制御システム。
【請求項４】
複数の機器から出力された画像を１の画面に同時に表示するようにした表示制御方法において、
出力する画像の表示に関する情報を画像出力装置から送信する第１の送信のステップと、
上記第１の送信のステップにより送信された上記画像の表示に関する情報に基づき、該画像を表示するための表示領域を、複数の上記画像出力装置のそれぞれから出力される複数の上記画像が１画面内で互いに重ならないように、表示制御装置で設定する表示領域設定のステップと、
上記表示領域設定のステップで設定された上記表示領域を示す情報を上記画像出力装置に送信する第２の送信のステップと、
上記第２の送信のステップで送信された上記表示領域を示す情報に基づき、上記画像が該表示領域に収まる得ように該画像に対して該画像が表示される領域を変更するような画像処理を、上記画像出力装置で施す画像処理のステップと、
複数の上記画像出力装置による上記画像処理のステップで画像処理された複数の画像を１の画像に合成して出力する合成のステップと
を有することを特徴とする表示制御方法。
【請求項５】
複数の画像出力装置から出力された画像を１の画面に同時に表示するように制御する表示制御装置であって、
画像出力装置から出力される画像を画面に表示する際の表示領域を、複数の上記画像出力装置のそれぞれから出力される複数の上記画像が１画面内で互いに重ならないように管理する管理部と、
上記画像出力装置との間で通信を行う通信部と、
上記管理部および上記通信部を制御する制御部と
を有し、
上記制御部は、
上記画像出力装置から出力される上記画像の表示に関する情報を上記通信により取得し、取得された該画像の表示に関する情報に基づき該画像を表示するための上記表示領域を上記管理部で設定して該表示領域を示す情報を上記通信により上記画像出力装置に送信する
ことを特徴とする表示制御装置。
【請求項６】
複数の画像出力装置から出力された画像を１の画面に同時に表示するように制御する表示制御方法であって、
画像出力装置から出力される画像の表示に関する情報を通信により取得する取得のステップと、
上記取得のステップにより取得された上記画像の表示に関する情報に基づき、該画像を画面に表示する際の表示領域を、複数の画像出力装置のそれぞれから出力される複数の画像が１画面内で互いに重ならないように設定する設定のステップと、
上記設定のステップにより設定された上記表示領域を示す情報を通信により上記画像出力装置に送信するステップと
を有することを特徴とする表示制御方法。
【請求項７】
複数の画像出力装置から出力された画像を１の画面に同時に表示するように制御する表示制御方法をコンピュータ装置に実行させる表示制御プログラムであって、、
上記表示制御方法は、
画像出力装置から出力される画像の表示に関する情報を通信により取得する取得のステップと、
上記取得のステップにより取得された上記画像の表示に関する情報に基づき、該画像を画面に表示する際の表示領域を、複数の画像出力装置のそれぞれから出力される複数の画像が１画面内で互いに重ならないように設定する設定のステップと、
上記設定のステップにより設定された上記表示領域を示す情報を通信により上記画像出力装置に送信するステップと
を有することを特徴とする表示制御プログラム。
【請求項８】
画像出力装置から出力される画像を画面に表示する際の表示領域を、複数の上記画像出力装置のそれぞれから出力される複数の上記画像が１画面内で互いに重ならないように管理する管理部と、
上記画像出力装置との間で通信を行う通信部と、
上記管理部および上記通信部を制御する制御部と、
複数の上記画像出力装置から出力される画像を１の画像に合成する合成部と、
上記合成部で合成された上記１の画像を表示する表示部と
を有し、
上記制御部は、
上記画像出力装置から出力される上記画像の表示に関する情報を上記通信により取得し、取得された該画像の表示に関する情報に基づき該画像を表示するための上記表示領域を上記管理部で設定して該表示領域を示す情報を上記通信により上記画像出力装置に送信する
ことを特徴とする表示装置。
【請求項９】
画像を出力する画像出力部と、
複数の機器から出力される画像を画面に表示する際の表示領域を、該複数の機器のそれぞれから出力される複数の画像が１画面内で互いに重ならないように管理する表示制御装置との間で通信を行う通信部と
上記画像出力部および上記通信部を制御する制御部と
を有し、
上記制御部は、
上記画像出力部から出力する上記画像の表示に関する情報を上記通信部により上記表示制御装置に対して送信し、
送信された該画像の表示に関する情報に基づき該表示制御装置により設定され送信された該画像を表示するための表示領域を示す情報を上記通信部により受信し、
受信された該表示領域を示す情報に基づき、上記画像が該表示領域に収まるように該画像に対して該画像が表示される領域を変更するような画像処理を施して出力するように上記画像出力部を制御する
ことを特徴とする画像出力装置。
【請求項１０】
出力する画像の表示に関する情報を、複数の機器から出力される画像を画面に表示する際の表示領域を該複数の機器のそれぞれから出力される複数の画像が１画面内で互いに重ならないように設定する表示制御装置に対して送信する送信のステップと、
上記送信のステップにより送信された上記画像の表示に関する情報に基づき上記表示制御装置により設定され該表示制御装置から送信された上記表示領域を示す情報を受信する受信のステップと、
上記受信のステップにより受信された上記表示領域を示す情報に基づき、上記画像が該表示領域に収まるように該画像に対して該画像が表示される領域を変更するような画像処理を施して出力するステップと
を有することを特徴とする画像出力方法。
【請求項１１】
出力する画像の表示に関する情報を、複数の機器から出力される画像を画面に表示する際の表示領域を該複数の機器のそれぞれから出力される複数の画像が１画面内で互いに重ならないように設定する表示制御装置に対して送信する送信のステップと、
上記送信のステップにより送信された上記画像の表示に関する情報に基づき上記表示制御装置により設定され該表示制御装置から送信された上記表示領域を示す情報を受信する受信のステップと、
上記受信のステップにより受信された上記表示領域を示す情報に基づき、上記画像が該表示領域に収まるように該画像に対して該画像が表示される領域を変更するような画像処理を施して出力するステップと
を有する画像出力方法をコンピュータ装置に実行させる
ことを特徴とする画像出力プログラム。
【請求項１２】
画像を出力する画像出力部と、
画像を出力する他の機器との間で通信を行う通信部と
上記画像出力部から出力される画像を画面に表示する第１の表示領域と、上記他の機器から出力される画像を画面に表示する際の第２の表示領域とを、上記画像出力部から出力される画像と上記他の機器から出力される画像とが１画面内で互いに重ならないように管理する管理部と、
上記画像出力部、上記管理部および上記通信部を制御する制御部と
を有し、
上記制御部は、
上記画像出力部から出力される画像の表示に関する情報に基づき上記第１の表示領域を設定すると共に、
上記他の機器から出力される画像の表示に関する情報を上記通信により取得し、取得された該画像の表示に関する情報に基づき該画像を表示するための上記第２の表示領域を上記管理部で設定して該第２の表示領域を示す情報を上記通信により上記他の機器に送信する
ことを特徴とする画像出力装置。
【請求項１３】
出力する画像の表示に関する情報に基づき、該画像を画面に表示する際の第１の表示領域を設定する第１の設定のステップと、
他の機器から送信された、該他の機器から出力される画像の表示に関する情報を受信する受信のステップと、
上記受信のステップにより受信された上記画像の表示に関する情報に基づき、該画像を画面に表示する際の第２の表示領域を設定する第２の設定のステップと、
上記第２の設定のステップにより設定された上記第２の表示領域を示す情報を上記他の機器に送信するステップと
を有し、
上記第１の表示領域と上記第２の表示領域とを、上記出力する画像と上記他の機器から出力される画像とが１画面内で互いに重ならないように設定する
ことを特徴とする画像出力方法。
【請求項１４】
出力する画像の表示に関する情報に基づき、該画像を画面に表示する際の第１の表示領域を設定する第１の設定のステップと、
他の機器から送信された、該他の機器から出力される画像の表示に関する情報を受信する受信のステップと、
上記受信のステップにより受信された上記画像の表示に関する情報に基づき、該画像を画面に表示する際の第２の表示領域を設定する第２の設定のステップと、
上記第２の設定のステップにより設定された上記第２の表示領域を示す情報を上記他の機器に送信するステップと
を有し、
上記第１の表示領域と上記第２の表示領域とを、上記出力する画像と上記他の機器から出力される画像とが１画面内で互いに重ならないように設定する
ようにした画像出力方法をコンピュータ装置に実行させる
ことを特徴とする画像出力プログラム。
【請求項１５】
複数の機器から出力された画像を１の画面に同時に表示するようにした表示制御システムにおいて、
データ通信を行う第１の通信部と、
画像を出力する画像出力部と、
上記第１の通信部および上記画像処理部を制御する第１の制御部と
を有する画像出力装置と、
上記第１の通信部と通信可能な第２の通信部と、
上記画像出力装置から出力される上記画像を画面に表示する際の表示領域を、複数の上記画像出力装置のそれぞれから出力される複数の上記画像が１画面内で互いに重ならないように管理する管理部と、
上記管理部により管理される上記表示領域を示す情報に基づき上記画像出力装置から出力される画像を、該画像が該表示領域に収まるように該画像に対して該画像が表示される領域を変更するような画像処理を施して出力する画像処理部と、
複数の上記画像処理部から出力された複数の画像を１の画像に合成する合成部と、
少なくとも上記第２の通信部、上記管理部および上記画像処理部を制御する第２の制御部と
を有する表示制御装置と
を備え、
上記表示制御装置は、上記第２の制御部の制御により、上記画像出力装置から出力される上記画像の表示に関する情報を上記通信により取得し、取得された該画像の表示に関する情報に基づき該画像を表示するための上記表示領域を上記管理部により設定する
ことを特徴とする表示制御システム。
【請求項１６】
複数の機器から出力された画像を１の画面に同時に表示するようにした表示制御方法において、
出力する画像の表示に関する情報を画像出力装置から送信する送信のステップと、
上記送信のステップにより送信された上記画像の表示に関する情報に基づき該画像を表示するための表示領域を、複数の上記画像出力装置のそれぞれから出力される複数の上記画像が１画面内で互いに重ならないよう、表示制御装置で設定する表示領域設定のステップと、
上記表示領域設定のステップで設定された上記表示領域を示す情報に基づき、上記画像出力装置から出力される画像を、該画像が該表示領域に収まるように該画像に対して該画像が表示される領域を変更するような画像処理を、上記表示制御装置で施す画像処理のステップと、
複数の上記画像出力装置から出力されそれぞれ上記画像処理のステップで画像処理された複数の画像を１の画像に合成して出力する合成のステップと
を有する
ことを特徴とする表示制御方法。
【請求項１７】
複数の機器から出力された画像を１の画面に同時に表示するようにした表示制御装置であって、
画像出力装置から出力される画像を画面に表示する際の表示領域を、複数の画像出力装置のそれぞれから出力される複数の画像が１画面内で互いに重ならないように管理する管理部と、
上記管理部により管理される上記表示領域を示す情報に基づき、上記画像出力装置から出力される画像を、該画像が該表示領域に収まるように該画像に対して該画像が表示される領域を変更するような画像処理を施して出力する画像処理部と、
複数の上記画像処理部から出力された複数の画像を１の画像に合成する合成部と、
上記画像出力装置との間で通信が可能な通信部と、
少なくとも上記通信部、上記管理部および上記画像処理部を制御する制御部と
を有し、
上記制御部は、上記画像出力装置から出力される上記画像の表示に関する情報を上記通信により取得し、取得された該画像の表示に関する情報に基づき該画像を表示するための上記表示領域を上記管理部により設定する
ことを特徴とする表示制御装置。
【請求項１８】
複数の機器から出力された画像を１の画面に同時に表示するようにした表示制御方法であって、
画像出力装置から出力される画像の表示に関する情報を通信により取得する取得のステップと、
上記取得のステップにより取得された上記画像の表示に関する情報に基づき、該画像を画面に表示する際の表示領域を、複数の画像出力装置のそれぞれから出力される複数の画像が１画面内で互いに重ならないように設定する設定のステップと、
上記設定のステップにより設定された上記表示領域を示す情報に基づき、上記画像出力装置から出力される画像を、該画像が該表示領域に収まるように該画像に対して該画像が表示される領域を変更するような画像処理を施す画像処理のステップと、
上記画像処理のステップにより上記画像処理が施された複数の画像を１の画像に合成して出力するステップと
を有することを特徴とする表示制御方法。
【請求項１９】
複数の機器から出力された画像を１の画面に同時に表示するようにした表示制御方法をコンピュータ装置に実行させる表示制御プログラムであって、
上記表示制御方法は、
画像出力装置から出力される画像の表示に関する情報を通信により取得する取得のステップと、
上記取得のステップにより取得された上記画像の表示に関する情報に基づき、該画像を画面に表示する際の表示領域を、複数の画像出力装置のそれぞれから出力される複数の画像が１画面内で互いに重ならないように設定する設定のステップと、
上記設定のステップにより設定された上記表示領域を示す情報に基づき、上記画像出力装置から出力される画像を、該画像が該表示領域に収まるように該画像に対して該画像が表示される領域を変更するような画像処理を施す画像処理のステップと、
上記画像処理のステップにより上記画像処理が施された複数の画像を１の画像に合成して出力するステップと
を有することを特徴とする表示制御プログラム。
【請求項２０】
画像出力装置から出力される画像を画面に表示する際の表示領域を、複数の画像出力装置のそれぞれから出力される複数の画像が１画面内で互いに重ならないように管理する管理部と、
上記管理部により管理される上記表示領域を示す情報に基づき、上記画像出力装置から出力される画像を、該画像が該表示領域に収まるように該画像に対して該画像が表示される領域を変更するような画像処理を施して出力する画像処理部と、
上記画像出力装置との間で通信が可能な通信部と、
少なくとも上記通信部、上記管理部および上記画像処理部を制御する制御部と、
複数の上記画像処理部から出力された複数の画像を１の画像に合成する合成部と、
上記合成部で合成された上記１の画像を表示する表示部と
を有し、
上記制御部は、上記画像出力装置から出力される上記画像の表示に関する情報を上記通信により取得し、取得された該画像の表示に関する情報に基づき該画像を表示するための上記表示領域を上記管理部により設定する
ことを特徴とする表示装置。
【請求項２１】
画像を出力する画像出力部と、
上記画像出力部から出力される上記画像を画面に表示する際の表示領域を、複数の機器のそれぞれから出力される複数の画像が１画面内で互いに重ならないように管理し、該表示領域を示す情報に基づき上記画像出力部から出力される画像を、該画像が該表示領域に収まるように該画像に対して該画像が表示される領域を変更するような画像処理を施し、該画像処理された複数の画像を１の画像に合成して出力するようにした表示制御装置との間で通信を行う通信部と、
上記通信部および上記画像処理部を制御する制御部と
を有し、
上記画像出力部から出力する上記画像の表示に関する情報を上記通信部により上記表示制御装置に送信する
ことを特徴とする画像出力装置。
【請求項２２】
画像を出力する画像出力のステップと、
上記画像出力のステップにより出力される上記画像を画面に表示する際の表示領域を、複数の機器のそれぞれから出力される複数の画像が１画面内で互いに重ならないように管理し、該表示領域を示す情報に基づき上記画像出力部から出力される画像を、該画像が該表示領域に収まるように該画像に対して該画像が表示される領域を変更するような画像処理を施し、該画像処理された複数の画像を１の画像に合成して出力するようにした表示制御装置に対して、上記画像出力のステップにより出力する上記画像の表示に関する情報を送信するステップと
を有する
ことを特徴とする画像出力方法。
【請求項２３】
画像を出力する画像出力のステップと、
上記画像出力のステップにより出力される上記画像を画面に表示する際の表示領域を、複数の機器のそれぞれから出力される複数の画像が１画面内で互いに重ならないように管理し、該表示領域を示す情報に基づき上記画像出力部から出力される画像を、該画像が該表示領域に収まるように該画像に対して該画像が表示される領域を変更するような画像処理を施し、該画像処理された複数の画像を１の画像に合成して出力するようにした表示制御装置に対して、上記画像出力のステップにより出力する上記画像の表示に関する情報を送信するステップと
を有する画像出力方法をコンピュータ装置に実行させるようにした
ことを特徴とする画像出力プログラム。
【請求項２４】
画像を出力する画像出力部と、
画像を出力する他の機器との間で通信を行う通信部と
上記画像出力装置から出力される上記画像を画面に表示する際の第１の表示領域と、上記他の機器から出力される画像を画面に表示する際の第２の表示領域とを、上記画像出力部から出力される画像と上記他の機器から出力される画像とが１画面内で互いに重ならないように管理する管理部と、
上記管理部により管理される、上記第１および第２の表示領域を示す情報に基づき、上記画像出力装置から出力される画像と、上記他の機器から出力される画像とに対し、それぞれの画像が対応する表示領域に収まるように、それぞれの画像に該画像が表示される領域を変更するような画像処理を施して出力する画像処理部と、
上記画像処理部から出力された複数の画像を１の画像に合成する合成部と
少なくとも上記画像出力部、上記通信部、上記管理部および上記画像処理部を制御する制御部と
を有し、
上記制御部は、上記画像出力部から出力される上記画像の表示に関する情報を取得すると共に、上記他の機器から出力される画像の表示に関する情報を上記通信により取得し、取得された情報に基づき上記第１および第２の表示領域を上記管理部により設定する
ことを特徴とする画像出力装置。
【請求項２５】
画像を出力する画像出力のステップと、
画像を出力する他の機器との間で通信を行う通信のステップと
上記画像出力のステップにより出力される上記画像の表示に関する情報を取得する第１の取得のステップと、
上記他の機器から出力される画像の表示に関する情報を上記通信のステップにより取得する第２の取得のステップと、
上記画像出力のステップにより出力される上記画像を画面に表示する際の第１の表示領域と、上記他の機器から出力される画像を画面に表示する際の第２の表示領域とを、上記第１および第２の取得のステップで取得された情報に基づき、上記画像出力のステップにより出力される画像と上記他の機器から出力される画像とが１画面内で互いに重ならないように設定する設定のステップと、
上記設定のステップで設定された、上記第１および第２の表示領域を示す情報に基づき、上記画像出力のステップにより出力される画像と、上記他の機器から出力される画像とに対し、それぞれの画像が対応する表示領域に収まるように、それぞれの画像に該画像が表示される領域を変更するような画像処理を施す画像処理のステップと、
上記画像処理のステップにより上記画像処理された複数の画像を１の画像に合成する合成のステップと
を有することを特徴とする画像出力方法。
【請求項２６】
画像を出力する画像出力のステップと、
画像を出力する他の機器との間で通信を行う通信のステップと
上記画像出力のステップにより出力される上記画像の表示に関する情報を取得する第１の取得のステップと、
上記他の機器から出力される画像の表示に関する情報を上記通信のステップにより取得する第２の取得のステップと、
上記画像出力のステップにより出力される上記画像を画面に表示する際の第１の表示領域と、上記他の機器から出力される画像を画面に表示する際の第２の表示領域とを、上記第１および第２の取得のステップで取得された情報に基づき、上記画像出力のステップにより出力される画像と上記他の機器から出力される画像とが１画面内で互いに重ならないように設定する設定のステップと、
上記設定のステップで設定された、上記第１および第２の表示領域を示す情報に基づき、上記画像出力のステップにより出力される画像と、上記他の機器から出力される画像とに対し、それぞれの画像が対応する表示領域に収まるように、それぞれの画像に該画像が表示される領域を変更するような画像処理を施す画像処理のステップと、
上記画像処理のステップにより上記画像処理された複数の画像を１の画像に合成する合成のステップと
を有する画像出力方法をコンピュータ装置に実行させるようにした
ことを特徴とする画像出力プログラム。
【請求項２７】
複数の機器から出力された画像を１の画面に同時に表示するようにした表示制御装置において、
入力された画像を解析して部分画像を検出する部分画像抽出部と、
上記部分画像抽出部で検出された上記部分画像に基づき、該部分画像を画面に表示する際の表示領域を、複数の上記入力画像から抽出された複数の該部分画像が互いに重ならないように管理する管理部と、
上記部分画像抽出部で抽出された上記部分画像が上記管理部により管理される上記表示領域に収まるように、該部分画像に対して該部分画像が表示される領域を変更するような画像処理を施して出力する画像処理部と、
上記画像処理部から出力された複数の上記部分画像を１の画像に合成する合成部と
を有することを特徴とする表示制御装置。
【請求項２８】
複数の機器から出力された画像を１の画面に同時に表示するようにした表示制御方法において、
入力された画像を解析して部分画像を検出する部分画像抽出のステップと、
上記部分画像抽出のステップにより検出された上記部分画像に基づき、該部分画像を画面に表示する際の表示領域を、複数の上記入力画像から抽出された複数の該部分画像が互いに重ならないように設定する設定のステップと、
上記部分画像抽出のステップで抽出された上記部分画像が上記設定のステップにより設定される上記表示領域に収まるように、該部分画像に対して該部分画像が表示される領域を変更するような画像処理を施す画像処理のステップと、
上記画像処理のステップにより上記画像処理された複数の上記部分画像を１の画像に合成する合成のステップと
を有することを特徴とする表示制御方法。
【請求項２９】
複数の機器から出力された画像を１の画面に同時に表示するようにした表示制御方法をコンピュータ装置に実行させるようにした表示制御プログラムにおいて、
上記表示制御方法は、
入力された画像を解析して部分画像を検出する部分画像抽出のステップと、
上記部分画像抽出のステップにより検出された上記部分画像に基づき、該部分画像を画面に表示する際の表示領域を、複数の上記入力画像から抽出された複数の該部分画像が互いに重ならないように設定する設定のステップと、
上記部分画像抽出のステップで抽出された上記部分画像が上記設定のステップにより設定される上記表示領域に収まるように、該部分画像に対して該部分画像が表示される領域を変更するような画像処理を施す画像処理のステップと、
上記画像処理のステップにより上記画像処理された複数の上記部分画像を１の画像に合成する合成のステップと
を有することを特徴とする表示制御プログラム。
【請求項３０】
入力された画像を解析して部分画像を検出する部分画像抽出部と、
上記部分画像抽出部で検出された上記部分画像に基づき、該部分画像を画面に表示する際の表示領域を、複数の上記入力画像から抽出された複数の該部分画像が互いに重ならないように管理する管理部と、
上記部分画像抽出部で抽出された上記部分画像が上記管理部により管理される上記表示領域に収まるように、該部分画像に対して該部分画像が表示される領域を変更するような画像処理を施して出力する画像処理部と、
上記画像処理部から出力された複数の上記部分画像を１の画像に合成する合成部と、
上記合成部から出力された上記１の画像を表示する表示部と
を有することを特徴とする表示装置。
【請求項３１】
画像を入力する１または複数の画像入力部と、
画像を出力する画像出力部と、
少なくとも上記画像入力部から入力された画像を解析して部分画像を検出する部分画像抽出部と、
上記画像入力部から入力された画像に含まれる部分画像および／または上記画像出力部から出力される画像に含まれる部分画像を画面に表示する際の表示領域を、複数の該部分画像が互いに重ならないように管理する管理部と、
上記部分画像が上記管理部により管理される上記表示領域に収まるように、該部分画像に対して該部分画像が表示される領域を変更するような画像処理を施して出力する画像処理部と、
上記画像処理部から出力された複数の上記部分画像を１の画像に合成する合成部と
を有することを特徴とする画像出力装置。
【請求項３２】
画像を出力する画像出力のステップと、
少なくとも入力された画像を解析して部分画像を検出する部分画像抽出のステップと、
上記入力画像に含まれる部分画像および／または上記画像出力のステップから出力される画像に含まれる部分画像を画面に表示する際の表示領域を、複数の該部分画像が互いに重ならないように設定する設定のステップと、
上記部分画像が上記設定のステップにより設定される上記表示領域に収まるように、該部分画像に対して該部分画像が表示される領域を変更するような画像処理を施す画像処理のステップと、
上記画像処理のステップにより出力された複数の上記部分画像を１の画像に合成する合成のステップと
を有することを特徴とする画像出力方法。
【請求項３３】
画像を出力する画像出力のステップと、
少なくとも入力された画像を解析して部分画像を検出する部分画像抽出のステップと、
上記入力画像に含まれる部分画像および／または上記画像出力のステップから出力される画像に含まれる部分画像を画面に表示する際の表示領域を、複数の該部分画像が互いに重ならないように設定する設定のステップと、
上記部分画像が上記設定のステップにより設定される上記表示領域に収まるように、該部分画像に対して該部分画像が表示される領域を変更するような画像処理を施す画像処理のステップと、
上記画像処理のステップにより出力された複数の上記部分画像を１の画像に合成する合成のステップとを有する画像出力方法をコンピュータ装置に実行させるようにした
ことを特徴とする画像出力プログラム。